(57)【要約】【課題】貼付物に貼付された後に分離部を容易に分離できながらも、貼付物から不用意に剥がれにくくする。【解決手段】配達証１２が分離可能に形成された伝票片１０に剥離可能に接着された剥離台紙２０において、配達証１２の伝票片１０からの分離開始端に対向する領域に、配達証１２に対向する領域内にその一部が形成されたスリット２１によって保護片２２が剥離台紙２０から分離可能に形成されている。【選択図】図１
2014141000.tif 000002
【特許請求の範囲】
【請求項１】
第１の分離部が分離可能に形成された上シートと、前記上シートの少なくとも前記第１の分離部の外側に積層された接着層によって前記上シートに剥離可能に接着された下シートとからなる配送伝票において、
前記下シートは、前記第１の分離部の前記上シートからの分離開始端に対向する領域に、前記第１の分離部に対向する領域内に少なくとも一部が形成された分離用切込によって当該下シートから分離可能に形成された第２の分離部を有することを特徴とする配送伝票。
【発明の詳細な説明】
【技術分野】
【０００１】
本発明は、分離部が形成され、配送物等の貼付物に貼付された後に分離部が分離される配送伝票に関する。
【背景技術】
【０００２】
従来より、配送物を配送する場合、配送物の配送元及び配送先の住所や氏名あるいは名称等の配送情報が記入された配送伝票が用いられ、配送伝票が配送物に貼付され、記入された配送情報に従って配送物が配送先に配送されている。
【０００３】
このような配送伝票としては、配送物に貼付される伝票片に、配送物が配送先に配送された後に配送業者が持ち帰る配達証が分離可能に区画形成されているものが用いられている。この配送伝票を用いた場合、配送物が配送先に配送されると、配達証に受領印が押下され、配達証が伝票片から分離されて配送業者によって持ち帰られることにより、配送物が配送先に配送されたことが管理されることになる。
【０００４】
上述したように配達証を伝票片から分離して持ち帰るためには、伝票片のうち配達証となる部分が配送物に貼着されていない状態としておく必要がある。そこで、伝票片のうち配達証となる部分のみ接着層を設けない構成とするとともに、伝票片が配送物に貼付される前の状態にて伝票片に剥離可能に接着されている剥離台紙に、配達証を分離可能とする切り取り線よりも大きな輪郭を有するスリットを形成し、剥離台紙のスリットの内側となる部分を伝票片とともに配送物に貼付する技術が考えられている（例えば、特許文献１参照。）。このように剥離台紙の一部を伝票片とともに配送物に貼付しておくことにより、配達証を伝票片から分離する際に配送物を汚したり傷つけたりすることを回避できるとともに、配送物が柔らかいものであったり濡れていたりする場合等においても、配送物と配達証との間に指等が挿入しやすくなり、配達証を伝票片から容易に分離することができる。
【先行技術文献】
【特許文献】
【０００５】
【特許文献１】特開２００５−１３２０１２号公報
【発明の概要】
【発明が解決しようとする課題】
【０００６】
ここで、上述したように配達証を伝票片から分離して持ち帰ることができるようするために配達証が配送物に貼付されていない状態とする場合、伝票片が配送物から不用意に剥がれないようにするために、配送物に貼付されていない領域の面積をできるだけ狭くすることが好ましい。
【０００７】
そのため、上述したように配達証を分離可能とする切り取り線よりも大きな輪郭を有するスリットを剥離台紙に形成し、剥離台紙のスリットの内側となる部分を伝票片とともに配送物に貼付する構成においては、剥離台紙に形成するスリットを、配達証を分離可能とする切り取り線の直近を沿うような構成とすることが考えられる。そのような構成とすることにより、配達証が伝票片から分離可能な構成において、伝票片が配送物から不用意に剥がれないようにすることができる。
【０００８】
ところで、上述したような配送伝票を用いて配送される配送物としては、様々な形態、形状のものがあり、また、近年においては、配送物を冷却した状態で配送することも行われている。すなわち、配送伝票の配送物への貼付形態や環境には様々な形態や環境があり、その形態や環境によって伝票片が配送物から剥がれやすくなってしまう場合がある。
【０００９】
そこで、本出願人は、配達証が分離可能な構成において、配送物からさらに不用意に剥がれないようにする構成について鋭意研究を重ねた。
【００１０】
本発明は、貼付物に貼付された後に分離部を容易に分離できながらも、貼付物から不用意に剥がれにくくすることができる配送伝票を提供することを目的とする。
【課題を解決するための手段】
【００１１】
上記目的を達成するために本発明は、
第１の分離部が分離可能に形成された上シートと、前記上シートの少なくとも前記第１の分離部の外側に積層された接着層によって前記上シートに剥離可能に接着された下シートとからなる配送伝票において、
前記下シートは、前記第１の分離部の前記上シートからの分離開始端に対向する領域に、前記第１の分離部に対向する領域内に少なくとも一部が形成された分離用切込によって当該下シートから分離可能に形成された第２の分離部を有することを特徴とする。
【００１２】
上記のように構成された本発明においては、第２の分離部が分離用切込によって下シートから分離され、第２の分離部のみが上シートに接着された状態で貼付物に貼付された後、第１の分離部を上シートから分離する際、第１の分離部の上シートからの分離開始端に対向する領域には第２の分離部が接着されたままの状態となっているため、第１の分離部の分離開始端と貼付物との間には第２の分離部が介在し、それにより、第１の分離部を上シートから分離する際に貼付物を汚したり傷つけたりすることが回避されるとともに、貼付物が柔らかいものであったり濡れていたりする場合等においても、貼付物と第１の分離部との間に指等が挿入しやすくなり、第１の分離部を上シートから容易に分離することができる。また、貼付物に貼付された状態においては、下シートの第２の分離部以外の領域が、第１の分離部に対向する領域内に少なくとも一部が形成された分離用切込によって第２の分離部と分離されて上シートから剥離されているため、第１の分離部の外側に積層された接着層が、第１の分離部の上シートからの分離開始端近傍以外の領域において下シートによって覆われてしまうことがなく、それにより、貼付物との貼付面積が狭くなることが抑制され、貼付物から不用意に剥がれにくくなる。
【発明の効果】
【００１３】
本発明によれば、第１の分離部を上シートから分離する際、第１の分離部の上シートからの分離開始端に対向する領域には第２の分離部が接着されたままの状態となることにより、第１の分離部の分離開始端と貼付物との間には第２の分離部が介在することになり、それにより、第１の分離部を上シートから分離する際に貼付物を汚したり傷つけたりすることを回避できるとともに、貼付物が柔らかいものであったり濡れていたりする場合等においても、貼付物と第１の分離部との間に指等が挿入しやすくなり、第１の分離部を上シートから容易に分離することができる。また、貼付物に貼付された状態においては、下シートの第２の分離部以外の領域が、第１の分離部に対向する領域内に少なくとも一部が形成された分離用切込によって第２の分離部と分離されて上シートから剥離されているため、第１の分離部の外側に積層された接着層が、第１の分離部の上シートからの分離開始端近傍以外の領域において下シートによって覆われてしまうことがなく、それにより、貼付物との貼付面積が狭くなることが抑制され、貼付物から不用意を剥がれにくくすることができる。
【図面の簡単な説明】
【００１４】
【図１】本発明の配送伝票の第１の実施の形態を示す図であり、（ａ）は外観斜視図、（ｂ）は伝票片の表面の構成を示す図、（ｃ）は伝票片の裏面の構成を示す図、（ｄ）は剥離台紙の構成を示す図である。
【図２】図１に示した剥離台紙が伝票片から剥離していく際の作用を説明するための図である。
【図３】図１に示した配送伝票が配送物に貼付された後の使用方法を説明するための図である。
【図４】図１に示した配送伝票による作用を説明するための図であり、（ａ）は配送伝票の配送物への貼付領域を示す図、（ｂ）は配達証を伝票片から分離する際の作用を説明するための図である。
【図５】本発明の配送伝票の第２の実施の形態を示す図であり、（ａ）は外観斜視図、（ｂ）は伝票片の表面の構成を示す図、（ｃ）は伝票片の裏面の構成を示す図、（ｄ）は剥離台紙の構成を示す図である。
【図６】図５に示した剥離台紙が伝票片から剥離していく際の作用を説明するための図である。
【図７】図５に示した配送伝票が配送物に貼付された後の使用方法を説明するための図である。
【図８】図５に示した配送伝票による作用を説明するための図であり、（ａ）は配送伝票の配送物への貼付領域を示す図、（ｂ）は貼付票を伝票片から分離する際の作用を説明するための図である。
【発明を実施するための形態】
【００１５】
以下に、本発明の実施の形態について図面を参照して説明する。
【００１６】
（第１の実施の形態）
図１は、本発明の配送伝票の第１の実施の形態を示す図であり、（ａ）は外観斜視図、（ｂ）は伝票片１０の表面の構成を示す図、（ｃ）は伝票片１０の裏面の構成を示す図、（ｄ）は剥離台紙２０の構成を示す図である。なお、図１（ｂ）〜（ｄ）においては、互いの位置関係をわかりやすくするために配送伝票１の表面側から見た図としている。また、図１（ｄ）においては、伝票片１０に区画形成された配達証１２に対向する位置を配達証対向位置１２ａとして破線で示している。
【００１７】
本形態は図１（ａ）に示すように、互いに同一形状である上シートとなる伝票片１０と、下シートとなる剥離台紙２０とが積層されて構成されている。
【００１８】
伝票片１０は図１（ｂ）に示すように、貼付票１１と第１の分離部となる配達証１２とから構成され、ミシン目１７によって配達証１２が伝票片１０から分離可能に区画形成されている。貼付票１１及び配達証１２のそれぞれには、この配送伝票１を用いて配送される配送物の配送先の住所や氏名あるいは名称、品名等の配送情報を印字あるいは記入するための配送情報記入領域１４ａ，１４ｂが設けられており、配達証１２にはさらに、配送物の配送先にて受領印を押下するための押印領域１５が設けられている。また、配達証１２には、配達証１２を伝票片１０から分離する際に分離開始端となる角部に切り欠き１６が形成されている。また、伝票片１０の裏面には、図１（ｃ）に示すように、配達証１２の外側の領域の全面に接着層３０が積層されており、この接着層３０によって伝票片１０と剥離台紙２０とが接着されている。
【００１９】
剥離台紙２０は図１（ｄ）に示すように、配達証１２の分離開始端となる角部に対向する領域に、第２の分離部となる保護片２２が分離用切込となるスリット２１によって剥離台紙２０から分離可能に区画形成されている。このスリット２１は、その一部が配達証１２に対向する領域に形成されており、それにより、保護片２２は、配達証１２の分離開始端となる１つの角部に対向する領域と配達証１２に対向しない領域とに渡って配置されている。また、伝票片１０との積層面のうち配達証１２に対向しない領域と保護片２２以外の領域とに剥離層４０が積層されている。
【００２０】
以下に、上記のように構成された配送伝票１の使用方法について説明する。
【００２１】
まず、上記のように構成された配送伝票１は、配送情報記入領域１４ａ，１４ｂに、この配送伝票１を用いて配送される配送物の配送先の住所や氏名あるいは名称、品名等の配送情報が印字あるいは記入された後、配送物に貼付するために剥離台紙２０を伝票片１０から剥離する必要がある。
【００２２】
図２は、図１に示した剥離台紙２０が伝票片１０から剥離していく際の作用を説明するための図である。
【００２３】
伝票片１０と剥離台紙２０とは、伝票片１０の裏面のうち配達証１２の外側の領域の全面に積層された接着層３０によって接着されているものの、剥離台紙２０の伝票片１０との積層面には、配達証１２に対向しない領域と保護片２２以外の領域とに剥離層４０が積層されているため、剥離台紙２０を伝票片１０から剥離することができる。
【００２４】
剥離台紙２０を伝票片１０から剥離していくと、剥離台紙２０にはスリット２１によって保護片２２が分離可能に区画形成されていることにより、図２に示すように、剥離台紙２０は保護片２２とその他の領域とに分離し、保護片２２が接着層３０によって伝票片１０に接着されたままの状態で、剥離台紙２０のその他の領域のみが伝票片１０から剥離する。
【００２５】
剥離台紙２０の保護片２２以外の領域が伝票片１０から剥離されると、伝票片１０の裏面に積層された接着層３０が表出し、この接着層３０によって配送伝票１が貼付物となる配送物に貼付され、配送物が配送先に配送されることになる。
【００２６】
図３は、図１に示した配送伝票１が配送物に貼付された後の使用方法を説明するための図である。また、図４は、図１に示した配送伝票１による作用を説明するための図であり、（ａ）は配送伝票１の配送物への貼付領域を示す図、（ｂ）は配達証１２を伝票片１０から分離する際の作用を説明するための図である。
【００２７】
上記のようにして剥離台紙２０のうち保護片２２以外の領域が伝票片１０から剥離された配送伝票１は、図３（ａ）に示すように、伝票片１０の裏面に積層された接着層３０よって配送物２に貼付される。そして、配送情報記入領域１４ａ，１４ｂに印字あるいは記入された配送情報に従って配送物２が配送先に配送されていく。
【００２８】
配送伝票１が配送物２に貼付された状態においては、図４（ａ）に示すように、剥離台紙２０の保護片２２以外の領域が伝票片１０から剥離されており、配達証１２及び保護片２２以外の領域に表出した接着層３０によって配送伝票１が配送物２に貼付されているため、配達証１２の外側に積層された接着層３０が、配達証１２の伝票片１０からの分離開始端近傍以外の領域において剥離台紙２０によって覆われてしまうことがなく、それにより、配送伝票１と配送物２との貼付面積が狭くなることが抑制され、配送伝票１が配送物２から不用意に剥がれにくくなる。
【００２９】
配送物２が配送先に届けられると、配達証１２の押印領域１５に受領印が押下され、図３（ｂ）に示すように、切り欠き１６が形成された角部を分離開始端としてミシン目１７が破断されることにより伝票片１０から配達証１２が分離される。配達証１２は、その裏面には接着層３０が積層されていないため、ミシン目１７を破断することにより伝票片１０から分離することができる。
【００３０】
この際、配達証１２の伝票片１０からの分離開始端に対向する領域には保護片２２が接着されたままの状態となっているため、図４（ｂ）に示すように、配達証１２の分離開始端と配送物２との間には保護片２２が介在している。そのため、配達証１２の分離開始端の下部に指３を挿入して伝票片１０から配達証１２を分離する際、指３が配送物２に当接せずに保護片２２に当接しながら配達証１２が分離していくことになり、それにより、配送物２を汚したり傷つけたりすることが回避されるとともに、配送物２が柔らかいものであったり濡れていたりする場合等においても、配送物２と配達証１２との間に指２等が挿入しやすくなり、配達証１２を伝票片１０から容易に分離することができる。
【００３１】
（第２の実施の形態）
図５は、本発明の配送伝票の第２の実施の形態を示す図であり、（ａ）は外観斜視図、（ｂ）は伝票片１１０の表面の構成を示す図、（ｃ）は伝票片１１０の裏面の構成を示す図、（ｄ）は剥離台紙１２０の構成を示す図である。なお、図５（ｂ）〜（ｄ）においては、互いの位置関係をわかりやすくするために配送伝票１０１の表面側から見た図としている。また、図５（ｃ）においては、剥離台紙１２０に形成されたスリット１２１に対向する位置をスリット対向位置１２４として一点鎖線で示し、図５（ｄ）においては、伝票片１１０に区画形成された貼付票１１１、配達証１１２及び受領証１１３に対向する位置をそれぞれ、貼付票対向位置１１１ａ、配達証対向位置１１２ａ及び受領証対向位置１１３ａとして破線で示している。
【００３２】
本形態は図５（ａ）に示すように、互いに同一形状である上シートとなる伝票片１１０と、下シートとなる剥離台紙１２０とが積層されて構成されている。
【００３３】
伝票片１１０は図５（ｂ）に示すように、第１の分離部となる貼付票１１１と、配達証１１２と、受領証１１３とのそれぞれが、ミシン目１１７ａ〜１１７ｃによって伝票片１１０から分離可能に区画形成されている。これら貼付票１１１、配達証１１２及び受領証１１３は、貼付票１１１と配達証１１２とが１辺の一部にて接し、配達証１１２と受領証１１３とが１辺の一部にて接している。貼付票１１１、配達証１１２及び受領証１１３のそれぞれには、この配送伝票１０１を用いて配送される配送物の配送先の住所や氏名あるいは名称、品名等の配送情報を印字あるいは記入するための配送情報記入領域１１４ａ〜１１４ｃが設けられており、配達証１１２にはさらに、配送物の配送先にて受領印を押下するための押印領域１１５が設けられている。また、配達証１１２及び受領証１１３のそれぞれには、配達証１１２，１１３を伝票片１１０から分離する際に分離開始端となる角部に切り欠き１１６ａ，１１６ｂが形成されている。なお、貼付票１１１においては、このような切り込みが形成されていないが、配達証１１２と接している辺が伝票片１１０からの分離開始端となる。
【００３４】
剥離台紙１２０は図５（ｄ）に示すように、伝票片１１０上の配達証１１２及び受領証１１３を囲み、かつ、その一部が貼付票１１１に対向する領域を通過するように分離用切込となるスリット１２１が形成されており、このスリット１２１によって第２の分離部となる保護片１２２が剥離台紙１２０から分離可能に区画形成されている。また、剥離台紙１２０には、伝票片１１０との積層面のうちスリット１２１の外側の領域に剥離層１４０が積層されており、スリット１２１の外側の領域が伝票片１１０から剥離可能となっている。これにより、保護片１２２は、貼付票１１１の角部のうち、貼付票１１１が配達証１１２と接する辺の両端の２つの角部を含む領域に対向するように形成されている。
【００３５】
伝票片１１０の裏面には、図５（ｃ）に示すように、接着層１３０が積層されており、この接着層１３０によって伝票片１１０と剥離台紙１２０とが接着されている。接着層１３０は、配達証１１２及び受領証１１３となる領域については、これら配達証１１２及び受領証１１３に対向しない領域において、スリット１２１の外側に対向する領域と、スリット１２１の内側に対向する領域の一部とに積層されている。また、貼付票１１１となる領域については、ミシン目１７ａの外側の領域に積層されるとともに、ミシン目１７ａの内側の領域についても、スリット１２１の外側に対向する領域に点糊状に積層されている。
【００３６】
以下に、上記のように構成された配送伝票１０１の使用方法について説明する。
【００３７】
まず、上記のように構成された配送伝票１０１は、配送情報記入領域１４ａ〜１４ｃに、この配送伝票１０１を用いて配送される配送物の配送先の住所や氏名あるいは名称、品名等の配送情報が印字あるいは記入された後、配送物に貼付するために剥離台紙１２０を伝票片１１０から剥離する必要がある。
【００３８】
図６は、図５に示した剥離台紙１２０が伝票片１１０から剥離していく際の作用を説明するための図である。
【００３９】
剥離台紙１２０と伝票片１１０とは、伝票片１１０の裏面のうち貼付票１１１の一部、配達証１１２及び受領証１１３以外の領域に積層された接着層１３０によって接着されているものの、剥離台紙１２０の伝票片１１０との積層面には、スリット１２１の外側の領域に剥離層１４０が積層されているため、剥離台紙１２０の保護片１２２以外の領域を伝票片１１０から剥離することができる。
【００４０】
そのため、剥離台紙１２０を伝票片１１０から剥離していくと、剥離台紙１２０には保護片１２２がスリット１２１によって分離可能に区画形成されていることにより、図６に示すように、剥離台紙１２０は保護片１２２とその他の領域とに分離し、保護片１２２が接着層１３０によって伝票片１１０に接着されたままの状態で、剥離台紙１２０のその他の領域のみが伝票片１１０から剥離する。
【００４１】
剥離台紙１２０の保護片１２２以外の領域が伝票片１１０から剥離されると、伝票片１１０の裏面に積層された接着層１３０が表出し、この接着層１３０によって配送伝票１０１が貼付物となる配送物に貼付され、配送物が配送先に配送されることになる。
【００４２】
図７は、図５に示した配送伝票１０１が配送物に貼付された後の使用方法を説明するための図である。また、図８は、図５に示した配送伝票１０１による作用を説明するための図であり、（ａ）は配送伝票１０１の配送物への貼付領域を示す図、（ｂ）は貼付票１１１を伝票片１１０から分離する際の作用を説明するための図である。
【００４３】
上記のようにして剥離台紙１２０のうち保護片１２２以外の領域が伝票片１１０から剥離された配送伝票１は、図７（ａ）に示すように、伝票片１１０の裏面に積層された接着層１３０よって配送物１０２に貼付される。そして、配送情報記入領域１１４ａ〜１１４ｃに印字あるいは記入された配送情報に従って配送物１０２が配送先に配送されていく。
【００４４】
配送伝票１０１が配送物１０２に貼付された状態においては、図８（ａ）に示すように、剥離台紙１２０の保護片１２２以外の領域が伝票片１１０から剥離されており、保護片１２２以外の領域に表出した接着層１３０によって配送伝票１０１が配送物１０２に貼付されているため、貼付票１１１に対応する領域においては、貼付票１１１の外側に積層された接着層１３０が、貼付票１１１の伝票片１１０からの分離開始端となる配達証１１２と接する部分の近傍以外の領域において剥離台紙１２０によって覆われてしまうことがなく、それにより、配送伝票１０１と配送物１０２との貼付面積が狭くなることが抑制され、配送伝票１０１が配送物１０２から不用意に剥がれにくくなる。
【００４５】
配送物１０２が配送先に届けられると、配達証１１２の押印領域１１５に受領印が押下され、図７（ｂ）に示すように、ミシン目１１７ｂが破断されることにより伝票片１１０から配達証１１２が分離される。配達証１１２は、その裏面には接着層１３０が積層されていないため、ミシン目１１７ｂを破断することにより伝票片１１０から分離することができる。
【００４６】
また、この配送物１０２の配送業者が配送物１０２の代金を受け取った後、図７（ｃ）に示すように、ミシン目１１７ｃが破断されることにより伝票片１１０から受領証１１３が分離される。受領証１１３は、その裏面には接着層１３０が積層されていないため、ミシン目１１７ｃを破断することにより伝票片１１０から分離することができる。
【００４７】
その後、配送伝票１０１が配送物１０２のパッケージ部分に貼付されている場合等において、配送物をこのパッケージから取り出した後に、パッケージを配送伝票１０１が貼付されたままの状態で廃棄する場合、貼付票１１１の配送情報記入領域１１４ａに印字あるいは記入された配送情報の漏洩あるいは不正使用を防止するために、図７（ｄ）に示すように、ミシン目１１７ａが破断されることにより伝票片１１０から貼付票１１１が分離される。貼付票１１１は、その裏面には接着層１３０が点糊状に積層されていることにより配送物１０２に貼付されているものの、その接着力は人手で剥離できる程度のものとなっており、ミシン目１１７ａを破断することにより配送物１０２から容易に剥離することができる。
【００４８】
この際、貼付票１１１が配達証１１２と接していた部分においては、貼付票１１１が剥離台紙１２０に接着されていないため、この領域が貼付票１１１の伝票片１１０からの分離開始端となるが、この分離開始端に対向する領域には保護片１２２が接着されたままの状態となっているため、図８（ｂ）に示すように、貼付票１１１の分離開始端と配送物１０２との間には保護片１２２が介在している。そのため、貼付票１１１の分離開始端の下部に指１０３を挿入して伝票片１１０から貼付票１１１を分離する際、指１０３が配送物１０２に当接せずに保護片１２２に当接しながら貼付票１１１が分離していくことになり、それにより、配送物１０２を汚したり傷つけたりすることが回避されるとともに、配送物１０２が柔らかいものであったり濡れていたりする場合等においても、配送物１０２と貼付票１１１との間に指１０２等が挿入しやすくなり、貼付票１１１を伝票片１１０から容易に分離することができる。
【００４９】
上記のように、第１の実施の形態においては、第１の分離部となる配達証１２の角部のうち１つの角部を含む領域に対向するように第２の分離部となる保護片２２が形成され、第２の実施の形態においては、第１の分離部となる貼付票１１１の角部のうち２つの角部を含む領域に対向するように第２の分離部となる保護片１２２が形成されているが、配送伝票１，１０１が配送物２，１０２から不用意に剥がれにくくしながらも、配達証１２及び貼付票１１１の伝票片１０，１１０からの分離における上記作用を生じさせるためには、第２の分離部は、第１の分離部の３つ以上の角部を含む領域に対向するように形成されておらず、第１の分離部の１つまたは２つの角部を含む領域に対向するように形成されていることが好ましい。
【００５０】
なお、上述した２つの実施の形態においては、剥離台紙２０，１２０の配達証１２や貼付票１１１に対向する領域とそれ以外の領域とに渡ってスリット２１，１２１が形成されているが、剥離台紙２０，１２０の配達証１２や貼付票１１１に対向する領域内にスリット２１，１２１の少なくとも一部が形成されていれば上述した作用が生じるため、例えば、剥離台紙２０，１２０の配達証１２や貼付票１１１に対向する領域と、剥離台紙２０，１２０のそれ以外の領域との境界部分とに渡ってスリットが形成された構成としてもよい。
【符号の説明】
【００５１】
１，１０１    配送伝票
２，１０２    配送物
３，１０３    指
１０，１１０    伝票片
１１，１１１    貼付票
１２，１１２    配達証
１２ａ，１１２ａ    配達証対向位置
１４ａ，１４ｂ，１１４ａ〜１１４ｃ    配送情報記入領域
１５，１１５    押印領域
１６，１１６ａ，１１６ｂ    切り欠き
１７，１１７ａ〜１１７ｃ    ミシン目
２０，１２０    剥離台紙
２１，１２１    スリット
２２，１２２    保護片
２３，１２３    孔
３０，１３０    接着層
４０，１４０    剥離層
１１１ａ    貼付票対向位置
１１３    受領証
１１３ａ    受領証対向位置
１２４    スリット対向位置
【図１】
2014141000.tif 000003
【図２】
2014141000.tif 000004
【図３】
2014141000.tif 000005
【図４】
2014141000.tif 000006
【図５】
2014141000.tif 000007
【図６】
2014141000.tif 000008
【図７】
2014141000.tif 000009
【図８】
2014141000.tif 000010